(57)【特許請求の範囲】
【請求項１】
雌ネジ１０付きインサート１と、これに螺合して交換自在に取り付けられるスパイクピン２を回転自在に支承する雄ネジ３１付き受板３とからなり、スパイクピン２は下方に小円盤部２１を設け、上方を押し広げられた径大なラッパ状部２３とし、雄ネジ３１付き受板３の筒部３２の軸受け中心孔３０に取り付けられて、スパイクピン２と前記中心孔３０とはスパイクピン２を上下に移動せずかつ回転自在に支承するように構成し、前記雄ネジ３１付き受板３は、スパイクピン２の周囲に爪部５１を設けたスパイクカバー５で被覆され、スパイクピン２は歩行による負荷で回転することでスパイクピン２の周辺に付着した異物を落とすことを特徴とするシューズ用スパイク。
【請求項２】
前記雄ネジ３１付き受板３は、合成樹脂製のスパイクカバー５で一部被覆され、そのスパイクカバー５はスパイクピン２の周囲に爪部５１を設け、その内部に小突起５２を設けてあり、スパイクピン２は歩行による負荷で回転することでスパイクピン２の周辺に付着した異物を落とすことを特徴とする請求項１に記載のシューズ用スパイク。
【発明の詳細な説明】
【０００１】
【発明の属する技術分野】
本発明は、ゴルフシューズ等のスポーツシューズや、寒冷地用の防滑用シューズ等に適用するシューズのシューズ用スパイクに関する。
【０００２】
【従来の技術】
シューズ用スパイクは、各種スポーツ靴の防滑のためや、寒冷地の雪面での防滑のためにさまざまな形態のものが開発されている。
例えば、ゴルフ用シューズでは、金属製スパイクやソフトスパイクと言われる合成樹脂製のスパイクなど多数の種類のものが市販されている。
【０００３】
シューズ用スパイクの基本的構成は靴底に多数本の硬質なスパイクピン（鋲）を突出させたものである。
【０００４】
スパイクピンの取り付けは、スパイクピンの根元自体を直接に靴底に埋設して植設した構成と、スパイクピンを取り付けるインサート（埋設座板）を靴底に埋設してこのインサートに別途部品化したネジを切ったスパイクピンを螺合して取り付ける構成がある。
【０００５】
スパイクピンの突出程度や形状はさまざまで、例えば舗装道路を歩く場合には歩行音を押さえるために突出程度を調整したり、ゴルフ用シューズではグリーンの芝等を傷めないためにあまり鋭くない略短円筒形の合成樹脂製のソフトスパイクが開発され普及している。
【０００６】
【発明が解決しようとする課題】
このように、シューズ用スパイクは多種多様であるが、共通する問題としてピンの周囲に土や泥や芝や草屑などの異物が付着し、やがてダンゴ状になりその異物を落とすのに手間がかかるという問題がある。
図６は、従来のゴルフ用シューズに取り付けられたソフトスパイクに異物が付着した状態を示すもので、素材や形状で付着しにくい構成にしているにもかかわらずいつの間にかダンゴ状に固まってしまうので、例えばプロゴルファーは図５のように常にしっかりした足場を作るためにテイーやマークリペアで泥等を落とす行為を余儀なくされている。
本発明の解決しようとする問題点は、スパイクピンの周囲に付着する異物を歩行中に落下させて異物の付着を少なくすることである。
【０００７】
【課題を解決するための手段】
本発明は、靴底４に埋設される雌ネジ１０付きインサート１と、これに螺合して交換自在に取り付けられるスパイクピン２を回転自在に支承する雄ネジ３１付き受板３とで構成し、歩行荷重でスパイクピン２が回転しその周囲の付着異物を落下させて前記課題に対応したシューズ用スパイクを提案するものである。
前記受板３は中心孔３０を備えた筒部３２を有し、スパイクピン２と前記中心孔３０とはスパイクピン２を上下に移動せずかつ回転自在に支承するように構成した特徴がある。
【０００８】
具体的には、前記受板３の中心孔３０の下端開口縁に径大な円形凹部３５を形成するとともに上端開口縁をラッパ状開口部３６とし、一方スパイクピン２は軸部２０中途に前記円形凹部３５に嵌合する小円盤部２１を設けかつ軸部２０の上端部に円形穴２２を設け、受板３の中心孔３０にスパイクピン２を装填した後に前記円形穴２２を押し広げて前記ラッパ状開口部３６に係止して、スパイクピン２を上下に移動せずかつ回転自在に支承するように構成している。
スパイクピン２の先端形状は円形や四角形等の角形である。
この発明の構成は、図３・図４に示す金属製スパイクに適用できることはもとより、受板３を、合成樹脂製のスパイクカバー５で一部被覆すれば、ゴルフ用シューズのソフトスパイクにも適用できるし、スパイクピン２の突出程度を設計変更すれば寒冷地用の防滑シューズとしても適用できる。
スポーツの種類や使用環境に応じたスパイクピン２の形状や太さや長さ等の設計変更は本発明の予想するところである。
【０００９】
【発明の実施の形態】
図１は、本発明に係るシューズ用スパイクの実施態様を示すもので、ゴルフ用シューズのソフトスパイクに適用した組立前の状態の分解斜視図である。
インサート１と、スパイクピン２を回転自在に支承する受板３と、合成樹脂製のスパイクカバー５とで構成されるが、この実施態様では実際には、予めスパイクピン２を回転自在に支承する受板３にスパイクカバー５が被覆してあり、受板３とスパイクカバー５は一体化している。
図２は靴底４に図１のシューズ用スパイクを取り付けた状態の断面図である。
【００１０】
図３は金属製スパイクの分解斜視図で、図４は靴底４に図３に示すシューズ用スパイクを取り付けた状態の断面図である。
【００１１】
図５は従来靴に付着した泥等を落とす行為を示す斜視図、図６は従来のソフトスパイクに異物が付着する状態を示す断面図である。
【００１２】
図１〜図４に示す本発明の実施態様を説明すると、まず構成要素としては、靴底４に埋設されるインサート１と、スパイクピン２を回転自在に支承する受板３と、合成樹脂製のスパイクカバー５とで構成される。
インサート１にスパイクピン２を回転自在に支承しかつスパイクカバー５で被覆された受板３を螺合することで組み立てられる。
【００１３】
雌ネジ１０付きインサート１は、ウレタン樹脂材料等の樹脂で成型される靴底４に埋設されるもので、足のひねりや輪状応力に対応した素材強度で作成され、実施態様ではアルミ合金で作成したもので、内面に雌ネジ１０を設けた下向きの孔１１を有する筒部１２の上面に筒部１２より径大で肉厚の円形の上板１３を設け、上板１３には靴底４になる成型用樹脂が入り込む複数個の孔１４を設けたものである。
雌ネジ１０付きインサート１は靴底４樹脂内に孔１１を開いて埋設されるものであり、靴底４に与えられる回動やひねり等の負荷に対応するだけの構造上及び取付け上の強度が要請される。
実施態様では、円形の上板１３の孔１４に靴底４を形成する樹脂が入り込んで一体化しているものを示しているが、上板１３を肉厚にしたり羽根やリブなどを設けて破断や亀裂などがおきないようにすることも本発明の予想するところである。
上板１３は、円形の例であるが、平面視で四角形などにしてより靴底４に不動に埋設することなどは当然できる。
【００１４】
雌ネジ１０付きインサート１には、スパイクピン２とそのスパイクピン２を回転自在に支承する雄ネジ３１付き受板３が取り付けられる。
受板３は中心孔３０を設けて外面に雄ネジ３１を有する筒部３２を設け、筒部３２にはそこから外向きに延設されたツバ部３３を設け、そのツバ部３３には取付け取り外し工具用の対の穴３４を設けたものである。
受板３の中心孔３０は、後述のスパイクピン２を回転自在に支承するものでスパイクピン２の外径輪郭と極めて精密に適合するように加工され、０，０５ｍｍ以下の間隙のみをおいて装填するような厳密な寸法で作成される。
中心孔３０の形状はスパイクピン２に均等なかつ微細な間隙をおいて、スパイクピン２が上下に移動せずかつ回転するような構成に抱持する形状である。
実施態様では、筒部３２の下面には径大な円形の凹部３５を形成してその中心から中心孔３０が穿設され上部では口広に湾曲したラッパ状に開いたラッパ状開口部３６としている。
中心孔３０の下端開口縁に径大な凹部３５を形成し一方上端開口縁を口広にしているので、そこに装填したスパイクピン２がその後の加工で抜け出ないように支持できることになる。
【００１５】
スパイクピン２は、硬質金属やセラミック製で、先端を槍状や角錐形にした形状で、軸部２０中途に受板３の前記円形凹部３５に嵌合する小円盤部２１を設け、軸部２０の上端には円形穴２２を設けたものである。
スパイクピン２の先端の形状は重要であり、その形状によって回転率を変化させることができる。
スパイクピン２の軸部２０の上端部は、受板３の筒部３２の上端開口形状に合致するように押し広げられラッパ状部２３に変形し、上下に移動せず抜け出ることがなくなる。
スパイクピン２は下方を小円盤部２で、上方を押し広げられた径大なラッパ状部２３で、筒部３２の軸受け中心孔３０に取り付けられて、抜け出ることなく、回転自在に支承される。
スパイクピン２は受板３の中心孔３０に微細な間隙で抱持されているので、水や粉塵が入り込むことはなく円滑に回転する。勿論、間隙に潤滑油を注入すれば更に回転は円滑であるが、その必要性を感じさせないほどに円滑に回る。
【００１６】
このように、雌ネジ１０付きインサート１に螺合して取付けられるスパイクピン２を回転自在に支承する雄ネジ３１付き受板３とからなるシューズ用スパイクは、靴底４に埋設された雌ネジ１０付きインサート１に交換自在にスパイクピン２を取り付けられることはもとより、取り付けられたスパイクピン２は歩行による負荷で回転することが特徴となる。
【００１７】
スパイクピン２は、回転するだけで垂直方向の軸位置はしっかり固定されているので、地面にしっかり突き刺さる。
スパイクピン２が回転するのは歩行や上からの体重荷重や地面の傾斜等の相対的作用による。
スパイクピン２には人間が履くと必ず真正な垂直でない力が作用し、その力で回転力が付与される。
特に泥、芝、草などの異物６が付着したりしていると次の動作でスパイクピン２が少しづつでも回転する。
この回転はスパイクピン２の周辺に付着した泥等の異物６を落とすには十分な回転であり、その回転により異物６は剥離し落下してゆく。
異物６は、溜ることが少なくダンゴになることがない。
【００１８】
図１及び図２のシューズ用スパイクは、スパイクピン２を回転自在に支承する雄ネジ３１付き受板３の一部を爪部５１を有するプラスチック製のスパイクカバー５で被覆したものを示している。
図１は組立前の部品ごとに分解したものであるが、実際には図２のように受板３はスパイクカバー５でそのツバ部３３を被覆され、スパイクピン２の周囲に合成樹脂製の爪部５１が立設されてグリーンの芝を傷つけにくいようになる。
いわゆるソフトスパイクとして構成される。
なおスパイクカバー５の形状や爪部５１の高さ等は種々の変更が可能である。図示のスパイクカバー５は、４本の爪部５１を設け、内部に４本の小突起５２を設け、交換工具用の穴５３などが設けられている。
【００１９】
スパイクピン２を回転自在に支承する雄ネジ３１付き受板３は、図３・図４のように靴底４にそのまま裸で取り付けても良い。
図３・図４は、いわゆる金属製スパイクといわれるもので、スパイクピン２は従前通りしっかりと地面に突き刺さり、グリップ性があり、かつスパイクピン２が回転し、異物が付着しにくく付着しても剥離しやすく、付着しても異物は自然に脱落し、安定したグリップ性の維持できるシューズ用スパイクとなっている。
【００２０】
【実施例】
実施例として、アルミ材料で、インサート１と、スパイクピン２を回転自在に支承する受板３とを作成した。
インサート１は、上板１３を直径２０ｍｍで、筒部１２の高さは８ｍｍとした。スパイクピン２は、受板３の中心孔３０に装填した後にポンチで上端をラッパ状に押し広げて回転自在に支承した。
本発明に係るシューズ用スパイクを、片方の靴底４に装着して、片方の靴底は従前のスパイクを装着し、ゴルフのラウンドを試行したが、本発明のスパイクは、泥落としはする必要がなかったほどである。
【００２１】
【発明の効果】
以上説明したように、本発明は、グリップ性を低下させずに、スパイクピンに回転を自然に付与して、周辺に異物を付着しにくくかつ自然脱落させるものであり、各種のスポーツや寒冷地の防滑のためのシューズ用スパイクとしてたいへん有用である。
【図面の簡単な説明】
【図１】  本発明に係るシューズ用スパイクの実施態様を示すもので、ゴルフ用シューズのソフトスパイクに適用した組立前の状態の分解斜視図
【図２】  靴底４に図１のシューズ用スパイクを取り付けた状態の断面図
【図３】  金属製スパイクの分解斜視図
【図４】  靴底４に図３に示すシューズ用スパイクを取り付けた状態の断面図
【図５】  従来靴に付着した泥等を落とす行為を示す斜視図
【図６】  従来のソフトスパイクに異物が付着する状態を示す断面図
【符号の説明】
１  インサート
２  スパイクピン
３  受板
４  靴底
５  スパイクカバー
【図１】
0004204120.tif 000002
【図２】
0004204120.tif 000003
【図３】
0004204120.tif 000004
【図４】
0004204120.tif 000005
【図５】
0004204120.tif 000006
【図６】
0004204120.tif 000007